Podtech/llm-jp-corpus-v4-ja_patent huggingface dataset:
(57)【要約】      （修正有）【課題】電飾機能を持ち合わせる硬度なプラスチックのエレキギターを提供する。【解決手段】ギター本体を透明にすることにより、ギターの電飾効果を高め、視聴覚に相乗効果をもたらすことを目的とし、ギターの電飾と音響とのコラボレーション、つまり音と電飾とを連動する。【選択図】図１
0003193645.tif 000002
【実用新案登録請求の範囲】
【請求項１】
プラスチック製のエレキギターに内蔵電飾を付けることにより、夜に行われる又は暗がりの中でアーティストの弾く楽器にＬＥＤを取付けることを特徴とする。
【考案の詳細な説明】
【技術分野】
【０００１】  この考案は、アーティストのコンサートなどで、より迫力があり、観客とアーティストがより盛り上がるギター装置であり、イルミネーション効果を施すものである。
【背景技術】
【０００２】  この考案は、エレキギター本体をカラフルに（特に夜のコンサート）でＬＥＤを用い電飾する。【０００３】  エレキギターは透明にして、材質は硬度なプラスチックの灯りを楽しめる。
【考案が解決しようとする課題】
【０００４】  アーティストの楽器として新しい息吹を吹き込むことができる。
【考案が解決するための手段】
【０００５】  エレキギターの材質は、硬度なプラスチックを用いる。
【考案の効果】
【０００６】  新しい息吹を吹き込む電飾付きのエレキギターとなる。
【図面の簡単な説明】
【０００７】
【図１】  図１は、エレキギターの本体にあたり、硬度な透明性のあるプラスチックである。色が色々な色に変化することにより、見ていて楽しい楽器となる。弦や、音の調節は既設のエレキギターと同様である。
【符号の説明】
【０００８】  １  楽器本体
【図１】
0003193645.tif 000003
【手続補正書】
【提出日】平成26年7月16日(2014.7.16)
【手続補正１】
【補正対象書類名】実用新案登録請求の範囲
【補正対象項目名】全文
【補正方法】変更
【補正の内容】
【実用新案登録請求の範囲】
【請求項１】
ギター本体を透明にすることにより、ギターの電飾効果を高め、視聴覚に相乗効果をもたらすことを、目的としギターの電飾と音響とのコラボレーション、つまり音と電飾との、連動することを特徴とするギター。
(57)【要約】      （修正有）【課題】ホテル・ビジネスホテルに置いてあるカップウオーマアを利用して、ふくろ入りラーメン等を調理することができるカップウオーマア用鍋を提供する。【解決手段】本考案は、鍋２の底部に銅板３を張付け、熱伝導率を良くし調理具として用いることを可能とした。【選択図】図２
0003193657.tif 000002
【実用新案登録請求の範囲】
【請求項１】
おわん形の鍋の底部に円形の銅板を張り付けたカップウオーマア用鍋。
【考案の詳細な説明】
【技術分野】
【０００１】本考案は、おわん形の鍋の底部に銅板を張り付けた調理具に関するものである。
【背景技術】
【０００２】ホテル・ビジネスホテルに宿泊し、夜間作業を要する場合調理具が必要であった。
【考案の開示】
【考案が解決しようとする課題】
【０００３】ホテル・ビジネスホテルに置いてあるカップウオーマアを利用して、ふくろ入りラーメン等を調理することができ、前途の問題点を解決しようとするものである。
【課題を解決するための手段】
【０００４】本考案は、カップウオーマアと鍋を利用して調理することができ、問題点を解決している。
【考案の効果】
【０００５】上途の様に、考案のカップウオーマア用鍋を用いホテル・ビジネスホテルでの夜間作業時の食事の調理ができる。
【考案を実施するための最良の形態】
【０００６】おわん形の鍋の底部に銅板を張り付け、カップウオーマアの発する熱を効率的に吸収させる。
【実施例】
【０００７】以下、添付図に従って実施例を説明する。１は、カップウオーマアでスイッチを入れ、２のおわん形の鍋に水等を入れ沸かし、ラーメン等を調理する。【０００８】本考案の実施例は上途の如き構成からなるものであり、カップウオーマアを利用して、調理できる。
【図面の簡単な説明】
【０００９】
【図１】正面図
【図２】側面図
【図３】実施例図
【符号の説明】
【００１０】１、カップウオーマア
２、鍋
３、銅板
４、とっ手
５、ふた
【図１】
0003193657.tif 000003
【図２】
0003193657.tif 000004
【図３】
0003193657.tif 000005
(57)【要約】      （修正有）【課題】風によって回動させられたのぼり旗を元の位置に戻す、のぼり旗取り付け具を提供する。【解決手段】支持棒１と回動体２をスプリング３で繋ぐことによって風で回動させられた、のぼり旗７をスプリング３の反動を利用して元の位置に戻して広告の文字が裏文字にならないようにした。回動体２は、スプリング３によってスプリング固定具４と一体とし、支持棒１の中にいれ、スプリング固定具留めネジ８で固定した。又、回動体２の上部に、横棒５を取り付け、のぼり旗７の上部の、乳１０を横棒５に通し、又、縦側の乳１０を支持棒１に通した。その後、のぼり旗７の上部の幅に合わせ横棒５を調整し、横棒留めネジ６で固定した。その支持棒１を建て付け台９に固定した。【選択図】図３
0003193660.tif 000002
【実用新案登録請求の範囲】
【請求項１】
支持棒１の上端に回動体２とスプリング固定具４をスプリング３を介して挿入し、スプリング固定具留めネジ８で支持棒１の外部から固定し、支持棒１に、のぼり旗７を乳１０を介して取り付け、下端は支持棒１の建て付け台９に固定し、上部の回動体２に、のぼり旗７の乳１０を介して支持棒１の軸心に直交する横棒５を取り付けてなることを特徴とする、のぼり旗取り付け具で、風によって吹かれた、のぼり旗７が回動体２によって回動し、風が止んだ時点でスプリング３の反動力で元の位置に戻す、のぼり旗取り付け具。
【考案の詳細な説明】
【技術分野】
【０００１】本考案は風によって回動させられた、のぼり旗を元の位置に戻す、のぼり旗取り付け具に関するものである。
【背景技術】
【０００２】広告用、のぼり旗が風によって回動させられて文字が裏返しになり広告としての目的が十分に果たされていない。
【考案が解決しようとする課題】
【０００３】従来、のぼり旗は風によって回動させられ、風が止んだ時点で広告面の位置が決まり、一定しないので前述したような不具合を解消できる、のぼり旗の提供が切望されている。
【課題を解決するための手段】
【０００４】本考案は、のぼり旗支持棒１の上端に、回動体２とスプリング固定具４をスプリング３を介して挿入し、スプリング固定具４をスプリング固定具留めネジ８で支持棒１の外部から固定し、支持棒１に、のぼり旗７を乳１０を介して取り付け、支持棒１の下端は建て付け台９に固定し、上部の回動体２に、のぼり旗７の乳１０を介して支持棒１の軸心に直交する横棒５を取り付けてなることを特徴とする、のぼり旗取り付け具で、風に吹かれた、のぼり旗７が回動体２によって回動し、風が止んだ時点でスプリング３の反動力で、のぼり旗７は元の位置へ戻される。
【考案の効果】
【０００５】上述のように風が止んだとき、のぼり旗を常に一定の方向へ向けることで、広告の表面が見られるようになり、のぼり旗の目的が果たされる。
【図面の簡単な説明】
【０００６】
【図１】のぼり旗の実施例を示す正面図である。
【図２】図１の平面図である。
【図３】図２のＡ−Ａ矢視の断面図である。
【考案を実施するための形態】
【０００７】本考案は、のぼり旗支持棒の上端に回動体と、スプリング固定具をスプリングを介して挿入し、スプリング固定具をスプリング固定具留めネジで支持棒の外部から固定し、支持棒に縦の、のぼり旗の乳を介して取り付け、下端は支持棒の建て付け台に固定する。又、上部の回動体に、のぼり旗の乳を介して支持棒の軸心に直交する横棒を取り付け横棒留めネジで固定してなることを特徴とする、のぼり旗取り付け具で、風によって吹かれた、のぼり旗が回動体によって回動し風が止んだ時点でスプリングの反動力で元の位置に戻す、のぼり旗取り付け具である。
【実施例】
【０００８】図１から図３を参照して本実施例について具体的に説明すると、回動体２は、スプリング３によってスプリング固定具４と一体とし、支持棒１の中にいれ、スプリング固定具留めネジ８で固定した。又、回動体２の上部に、横棒５を取り付け、のぼり旗７の上部の、乳１０を横棒５に通し、又、縦側の乳１０を支持棒１に通した。その後、のぼり旗７の上部の幅に合わせ横棒５を調整し、横棒留めネジ６で固定した。その支持棒１を建て付け台９に固定した。
【符号の説明】
【０００９】１    支持棒
２    回動体
３    スプリング
４    スプリング固定具
５    横棒
６    横棒留めネジ
７    のぼり旗
８    スプリング固定具留めネジ
９    支持棒建て付け台
１０  乳（のぼり旗を横棒と支持棒に取り付けるワッカ）
【図１】
0003193660.tif 000003
【図２】
0003193660.tif 000004
【図３】
0003193660.tif 000005
(57)【要約】【課題】灯油の盗難などの大量の流出事故の防止はもとより、少量の漏洩事故をも防止する監視装置を提供する。【解決手段】灯油タンク出口近傍の配管に流量計を設け、暖房機に電流感知センサーを設け、前記流量計の電流信号と前記暖房機の電流感知センサー信号の比較により、暖房機不使用時に流量計電流信号が生じた時に、異常時に警報装置を作動することを特徴とする灯油漏洩感知器とする。【選択図】図１
0003193651.tif 000002
【実用新案登録請求の範囲】
【請求項１】
灯油タンク出口近傍の配管に流量計を設け、暖房機に電流感知センサーを設け、前記流量計の電流信号と前記暖房機の電流感知センサー信号の比較により、暖房機不使用時に流量計電流信号が生じた時に、異常時に警報装置を作動することを特徴とする灯油漏洩感知器。
【考案の詳細な説明】
【技術分野】
【０００１】本考案は、灯油タンク配管からの灯油の異常流出を監視する装置に関する。
【背景技術】
【０００２】従来、灯油ホームタンクからの灯油の盗難を防止するために、灯油ホームタンクに付設する給油口に盗難防止用のカバーを取り付け施錠する例がある（例えば、特許文献１参照）。
【先行技術文献】
【特許文献】
【０００３】
【特許文献１】実用新案登録第３１１９９９６号公報
【考案の概要】
【考案が解決しようとする課題】
【０００４】まずは、灯油ホームタンクからの灯油の盗難について説明する。
特許文献１は、灯油ホームタンク付設の給油口、及び油量計を覆う盗難防止カバーを取り付けホームタンク内の灯油の盗難を阻止しようとするものである。
しかし、現在の灯油ホームタンクからの盗難は、給油口から吸い上げるものではなく、ホームタンク下部の配管をカットし灯油を抜き取る方法で行われている場合もあり、従前の方式では盗難を防止することはできなくなっている。【０００５】次に天災や、事故等により灯油が漏洩する場合を説明する。一般住宅や小規模建物の建物内部への灯油の供給は、ホームタンクより建物の外壁周囲の地中近くに配管を埋設し、建物内部の暖房機・ボイラーに供給している。使用配管類も頑丈なものではなく、天災や事故等により、給油配管等の劣化破損・切断事故による破損などの異常で油漏れが発生する。土中埋設にある配管等の事故で灯油が漏洩した場合、地中内の漏洩状況を把握することは非常に困難であるし、又建物廻りの配管距離が長いことから、発見するのが容易ではない。しかも発見される時点では、建物の周りでの異常臭気で発覚されることが多い。少量の漏洩事故は発生に気づくこともなく、土壌汚染、水質汚染になっている。又、漏れの量が多い場合は、土壌内での汚染はもとより、地下水まで被害が及んだり、道路側溝を経由し、河川まで灯油が流れだす危険性も考えられる。これらの状況にあって、少量の漏洩事故を防止する適切な技術は見当たらない。
本考案は、上記の状況に鑑み、灯油の盗難などの大量の流出事故の防止はもとより、少量の漏洩事故をも防止する監視装置を提供しようとするものである。
【課題を解決するための手段】
【０００６】前記の課題を解決するため、本考案は、灯油タンク出口近傍の配管に流量計を設け、暖房機に電流感知センサーを設け、前記流量計の電流信号と前記暖房機の電流感知センサー信号の比較により、暖房機不使用時に流量計電流信号が生じた時に、異常時に警報装置を作動することを特徴とする灯油漏洩感知器。
【考案の効果】
【０００７】  本考案により灯油の盗難、環境汚染対策、土質・水質汚染の防止対策ができる。
【図面の簡単な説明】
【図１】本考案の灯油の配管を示す説明図である。
【図２】本考案の制御回路を示す説明図である。
【考案を実施するための最良の形態】
【０００８】以下、本考案の実施の形態を図を用いて詳細に説明する。
図１は、灯油ホームタンク１から建物７の内部に灯油を供給する簡略図である。
灯油は、灯油ホームタンク１から灯油配管４により地中を通り、建物内部の灯油ストーブやボイラーなどの暖房機５に供給される。灯油ホームタンク１の下部に設けられる流出口近傍の配管に灯油の流量計３を設ける。灯油の配管の流れは、流量計の出力信号の電流Ａとして、有線又は無線により受信する。
また、建物内部の暖房機５への電気配線に電流感知センサー８を設ける。暖房機５が運転中の時、暖房機の稼働信号として電流感知センサー８の信号電流Ｂを受信する。本考案は、流量計の出力信号と暖房機の電流感知センサー信号を制御回路側で受信し、両者の比較により、異常を検出する。
灯油配管の途中のどこででも液漏れ、盗難の可能性がある。
暖房機を使用していないとき、すなわち暖房機に電流Ｂが流れていない時に、流量計の電流Ａが感知されるときは、何らかの液漏れが発生している事になり、屋内または屋外に設置された警報装置６が作動する。警報は、ベル、ランプ、音声などとする。
一般家庭の外部設置の４９０Ｌタンクでのタンク・配管・抜き取り事故に使用するほか、環境汚染対策（土質・水質）として、流体を扱う作業工場等での送り側と受け側との異常事故時に非常警報する安全装置として利用することができる。
【実施例】図２に本考案の実施例について、リレーを用いた制御の例を示す。
（１）暖房機が運転されて電流感知センサー電流Ｂが流れているとき、暖房機の運転信号用リレーＸ１が作動してＯＮとなる。
（２）暖房機を使用していない運転信号用リレーＸ１がＯＦＦのときであって、流量計に灯油の流れがあって出力信号の電流Ａが流れたとき、流量計の運転信号用リレーＸ２が作動してＯＮになる。
（３）流量計の運転信号用リレーＸ２がＯＮのとき、ブザー停止用リレーＢＺＸがＯＦＦであれば、警報用ブザーＢＺが作動する。
（４）この後は警報用ブザーＢＺの停止と復帰についてであり、ブザー停止用押しボタン３−２８Ｒを操作してブザー停止用リレーＢＺＸを作動し、警報用ブザーＢＺのＯＦＦを保持する。
【符号の説明】
【０００９】１．灯油ホームタンク
２．オイルストレーナー
３．流量計
４．灯油配管
５．暖房機
６．警報装置（センサ−内臓）（有線又は無線）
７．家屋
Ａ  流量計の電流
Ｂ  暖房機の電流
Ｘ１  暖房機の運転信号用リレー
Ｘ２  流量計の運転信号用リレー
ＢＺ  警報用ブザー
ＢＺＸ  ブザー停止用リレー
３−２８Ｒ  ブザー停止用押しボタン
【図１】
0003193651.tif 000003
【図２】
0003193651.tif 000004
【手続補正書】
【提出日】平成26年7月23日(2014.7.23)
【手続補正１】
【補正対象書類名】実用新案登録請求の範囲
【補正対象項目名】請求項１
【補正方法】変更
【補正の内容】
【請求項１】
灯油タンク出口近傍の配管に流量計、暖房機に電流感知センサーをそれぞれ設け、流量計の電流信号と暖房機の電流感知センサー信号の比較により、暖房機不使用時に流量計電流信号が生じた時に、警報装置が作動することを特徴とする灯油漏洩感知器。
(57)【要約】      （修正有）【課題】焼酎その他の飲料を、お湯、水、氷その他の飲料で希釈し飲用するために用いるグラスその他の容器を提供する。【解決手段】容器を液体で満たした場合の満容量を１００％とした場合に、満容量の８０％の液体を注いだ場合の液面の位置よりも低い位置に規定容量表示３を付し、規定容量表示３を基準に目盛り２を付すことにより、好みの比率で焼酎を水で希釈して氷を入れた焼酎の水割りを作成し飲用することが可能となる。【選択図】図１
0003193685.tif 000002
【実用新案登録請求の範囲】
【請求項１】
焼酎その他の飲料を、お湯、水、氷その他の飲料で希釈し飲用するために用いるグラスその他の容器であって、容器を液体で満たした場合の満容量を１００％とした場合に、満容量の８０％の液体を注いだ場合の液面の位置よりも低い位置に規定容量表示を付し、規定容量を１００％とした場合の目盛りを付した容器。
【考案の詳細な説明】
【技術分野】
【０００１】
本考案は、焼酎その他の飲料を、お湯、水、氷その他の飲料で希釈し飲用するために用いるグラスその他の容器に関する。
【背景技術】
【０００２】
公知の、焼酎をお湯で希釈し飲用するために用いる容器、いわゆる焼酎お湯割りグラスの形状は、図３に示すように、上部に開口部を有する円筒形の容器の側面１に目盛り２が記されたものである。
【０００３】
焼酎をお湯で希釈して飲用する際、焼酎６に対しお湯４の割合で希釈すると、アルコール度数２５％の焼酎の場合、日本酒と同程度の１５％になる。また焼酎５に対しお湯５の割合で希釈すると、アルコール度数２５％の焼酎の場合、ワインと同程度の１２．５％になる。前者が「６：４（ロクヨン）のお湯割り」、後者が「５：５（ゴーゴー）のお湯割り」と呼ばれ、焼酎をお湯で希釈して飲用する際の一般的な希釈比率となっている。
【０００４】
公知の焼酎お湯割りグラスの目盛り２においては、この「６：４のお湯割り」および「５：５のお湯割り」を簡便に作成し飲用するために、容器を液体で満たした場合の満容量を１００％とした場合にその６０％の液体を注いだ場合の液面の位置に満容量６０％表示６、同じく５０％の液体を注いだ場合の液面の位置に満容量５０％表示７が付されているのが特徴である。
【０００５】
しかしながら、従来技術によれば、焼酎を水で希釈して氷を入れる、いわゆる焼酎の水割りを作成しようとすると、好みの比率で焼酎と水を入れた時点で容器が満たされることから、そこに氷を加えることができなかった。
【０００６】
したがって、焼酎の水割りを作成し飲用する際には、目盛り２のない一般的なグラスが用いられており、目分量で焼酎、水、氷を入れるため、好みの希釈率を得ることが困難であった。
【先行技術文献】
【非特許文献】
【０００７】
【非特許文献１】小林豊孝編集「焼酎の基礎知識」えい出版社  ２０１１年
【考案の概要】
【考案が解決しようとする課題】
【０００８】
本考案が解決しようとする課題は、焼酎をお湯で希釈し飲用するために用いる容器、いわゆる焼酎お湯割りグラスを用いて、焼酎を水で希釈して氷を入れる、いわゆる焼酎の水割りを作成しようとすると、好みの比率で焼酎と水を入れた時点で容器が満たされることから、そこに氷を加えることができなかった点である。
【課題を解決するための手段】
【０００９】
以上の課題を解決するために、本考案は、容器を液体で満たした場合の満容量を１００％とした場合に、満容量の８０％の液体を注いだ場合の液面の位置よりも低い位置に規定容量表示３、規定容量を１００％とした場合の目盛り２が付されているのが特徴である。
【考案の効果】
【００１０】
本考案によれば、いわゆる焼酎の水割りを作成する際、好みの比率で焼酎と水を入れた時点で液面が規定容量表示３に達し、容器にはまだ満容量の２０％を超える余裕があることから、氷を加えることが可能になる。
【図面の簡単な説明】
【００１１】
【図１】図１は本考案の一実施形態を示す斜視図である。
【図２】図２は本考案の図１以外の一実施形態を示す展開図である。
【図３】図３は従来技術を示す斜視図である。
【考案を実施するための形態】
【００１２】
本考案は、ガラス、プラスチックその他の、飲料を衛生的に保持し目盛り２における液面の位置を読み取ることが可能である素材であれば、いずれの素材による容器においても実施可能である。
【実施例】
【００１３】
図１は、本考案の一実施形態であって、１は容器の側面、２は目盛り、３は規定容量表示、４は規定容量６０％表示、５は規定容量５０％表示である。
【００１４】
本実施形態では、規定容量表示３は「１０」と記されているが、「１０：０」「１００％」その他の規定容量を示す表示でも本考案は実施可能である。
【００１５】
本実施形態では、規定容量６０％表示４は「６：４」と記されているが、「６」「６０％」その他の規定容量６０％を示す表示でも本考案は実施可能である。
【００１６】
本実施形態では、規定容量５０％表示５は「５：５」と記されているが、「５」「５０％」その他の規定容量５０％を示す表示でも本考案は実施可能である。
【００１７】
本実施形態では、規定容量表示３において、容器を液体で満たした場合の満容量を１００％とした場合に、満容量の８０％の液体を注いだ場合の液面の位置に規定容量表示３を付しているが、満容量の８０％の液体を注いだ場合の液面の位置よりも低い位置に規定容量表示を付すことによっても本考案は実施可能である。
【００１８】
図２は、本考案の図１以外の一実施形態であって、１は容器の側面、２は目盛り、３は規定容量表示、４は規定容量６０％表示、５は規定容量５０％表示である。
【００１９】
本実施形態では、容器の側面１の装飾意匠の中に、目盛り２、規定容量表示３、規定容量６０％表示４、規定容量５０％表示５が表示されているが、このような表示方法によっても本考案は実施可能である。
【００２０】
本実施形態では、目盛り２の中に、規定容量表示３、規定容量６０％表示４、規定容量５０％表示５以外の比率についても表示されている箇所があるが、このような表示方法によっても本考案は実施可能である。
【００２１】
本実施形態では、規定容量が１８０ｍｌであり、規定容量表示３において、規定容量が１８０ｍｌであることについても表示されているが、このような表示方法によっても本考案は実施可能である。
【産業上の利用可能性】
【００２２】
本考案によって、従来技術においては目盛りを用いて焼酎を水で希釈した後に氷を入れることが不可能であった容器であっても、目盛りを用いて焼酎を水で希釈した後に氷を入れることが可能となり、焼酎を好みの希釈率の水で希釈し氷を入れた飲料を簡便に作成し飲用することが可能となる。
【符号の説明】
【００２３】
１  側面
２  目盛り
３  規定容量表示
４  規定容量６０％表示
５  規定容量５０％表示
６  満容量６０％表示
７  満容量５０％表示
【図１】
0003193685.tif 000003
【図２】
0003193685.tif 000004
【図３】
0003193685.tif 000005
(57)【要約】      （修正有）【課題】適度な通水性と通気性をもつ有孔プラスチックフィルムとシートを採用して、使用時の前後でもその扱いが容易となり、安価な材質と形状の枠付きゴミ袋を提供する。【解決手段】台所の流し等で多用される濡れゴミを少時収容可能で、やや自立性と可搬性を持ち耐水性、漏水性を兼ね持つ使い捨て袋と、それの開口部を一時支える円筒形枠とを備える。【選択図】図２
0003193624.tif 000002
【実用新案登録請求の範囲】
【請求項１】
台所の流し等で多用される  濡れゴミを少時収容可能で  やや自立性と可搬性を持ち耐水性、漏水性を兼ね持つ  使い捨て袋と  それの開口部を一時支える円筒形枠。
【考案の詳細な説明】
【技術分野】
【０００１】  従来この用途の用具には  籠・網袋等使われたが  より使い易く安価な袋を工夫する。
【背景技術】
【０００２】  網袋程耐水・通水・可搬性を要せず  使用前の収容容積が小さく  使用後処理が楽な有孔プラスチックフィルムを採用する。
【考案の開示】
【考案が解決しようとする課題】
【０００３】  網程  通水性を必要とせず  使用前容積が小さい、有孔プラスチックフィルムを採用し使用時  使用後  処理上  扱い易い形状とする。
【課題を解決するための手段】
【０００４】  プラスチックフィルムのフィルム生産時に穿孔する。
【考案の効果】
【０００５】  使途に応じ  開口率は任意に選べ  ゴミの大小に合わせ口径も任意である。
【考案を実施するための最良の形態】
【０００６】  図１のように  有孔プラスチックフィルムを設え  襠付きに折り畳み  ２５ｃｍ毎に横断複線溶接を施しその狭間に破線状切れ目を入れ  他辺にも  半弧な破線状切れ目を入れる。【０００７】  図３にあるような開口周長５０ｃｍに合わせ  長さ５４ｃｍ幅１８ｃｍのプラスチックシートを２ｃｍダブらせて  ホチキス等で連結し  底抜け桶状の専用枠を別途用意する。
【実施例１】
【０００８】図３のような  有底箱状耳つき有孔フィルム製袋と  そのシート製枠
【産業上の利用可能性】
【０００９】ゴミ用袋に限らず  密閉を嫌う農漁業産物の  小口収穫物収容容器として応用できる。
【図面の簡単な説明】
【００１０】
【図１】ロール状のフィルムに横断熔接封止分離線と破線状切れ目を施す予定の状態。
【図２】襠付きに折り畳み、穿孔・破線状切れ目を施した状態。
【図３】横断熔接封止分離線で切離し襠を起こした箱状耳付き有孔プラスチック袋と袋開口部に合わせた外枠を既設の凹凸フックで継ぎ輪にした外枠。
【符号の説明】
【００１１】１  プラスチックフィルム素材
２  襠付きに折り畳んだ状態
３  横断熔接封止分離線
４  破線状切れ目
５  プラスチックシート製外枠
【図１】
0003193624.tif 000003
【図２】
0003193624.tif 000004
【図３】
0003193624.tif 000005
【手続補正書】
【提出日】平成26年5月16日(2014.5.16)
【手続補正１】
【補正対象書類名】実用新案登録請求の範囲
【補正対象項目名】全文
【補正方法】変更
【補正の内容】
【実用新案登録請求の範囲】
【請求項１】
台所の流し等で多用される  濡れゴミを少時収容可能で  やや自立性と可搬性を持ち耐水性、漏水性を兼ね持つ使い捨て袋と  それの開口部を一時支える円筒形枠とを備えた枠付きゴミ袋。
【手続補正書】
【提出日】平成26年7月15日(2014.7.15)
【手続補正１】
【補正対象書類名】実用新案登録請求の範囲
【補正対象項目名】全文
【補正方法】変更
【補正の内容】
【実用新案登録請求の範囲】
【請求項１】
濡れゴミを収容するための開口部を有する使い捨て袋と、前記開口部を一時支える円筒形状の枠とを備えたことを特徴とする流し台用枠付ゴミ袋。
(57)【要約】      （修正有）【課題】ＬＥＤ基盤帯の長さに応じて、容易にカバーの寸法カットが出来るＬＥＤ基盤帯カバーを提供する。【解決手段】透明筒状一体型押出し抽出品本体１には、熱放出用の溝５ｃがある。又、本体１の内面にはＬＥＤ基盤帯２を差し込めるよう突起５ａと５ｂがあり、突起５ｂの下面には、色フィルム３の受け用として突起５ｅがある。ＬＥＤ基盤帯２を差し込んだ状態における照射面には光拡散用の複数の隆起５ｄが設けられる。【選択図】図１
0003193630.tif 000002
【実用新案登録請求の範囲】
【請求項１】
内面にＬＥＤ基盤帯を差し込める機能のある透明筒状一体型ＬＥＤ基盤帯カバー。
【請求項２】
内面にＬＥＤ照射色変更のための色フィルム受け部分を設けた前記請求項１に記載の透明筒状一体型ＬＥＤ基盤帯カバー。
【考案の詳細な説明】
【技術分野】
【０００１】  本考案は、ＬＥＤ基盤帯のカバーに関するものである。
【背景技術】
【０００２】  従来のＬＥＤ基盤帯カバーとしては、本体ＬＥＤ基盤帯保持部、透明カバー部、両端のキャップ部と分割しているものが多々ある。
【先行技術文献】
【特許文献】
【０００３】
【特許文献１】特開２０１４−０２２２６０号
【特許文献２】特開２０１３−０６９６５０号
【考案の概要】
【考案が解決しようとする課題】
【０００４】  上記技術においては、使用するＬＥＤ基盤帯の長さに応じて本体ＬＥＤ基盤帯保持部及び透明カバー部を別々にカットする必要性があり、正確なカット寸法でないと、本体ＬＥＤ基盤帯保持部と透明カバー部の長さのズレによりキャップ部が嵌りにくいという問題があった。また、ＬＥＤ照射色の変更についても、透明カバー部をはずさなくてはならず、容易に変更出来なかった。
【課題を解決するための手段】
【０００５】  以上の課題を解決するために、本考案は、本体ＬＥＤ基盤帯保持部と透明カバー部を透明一体型の押出し抽出品とすることを特徴とする透明一体型ＬＥＤ基盤帯カバーにした。また、透明一体型押出し抽出品の内面にＬＥＤ照射色を容易に変更出来るよう色フィルム受け部を設けた。
【考案の効果】
【０００６】  上記考案によれば、ＬＥＤ基盤帯の長さに応じて、容易にカバーの寸法カットが出来、本体ＬＥＤ保持部と透明カバー部とが一体のため、カット寸法の誤差によるキャップが嵌りにくいという問題点を解決している。又色フィルム受けを設けたため、任意の色フィルムを差し込むだけで容易に照射色の変更が出来るようにした。
【図面の簡単な説明】
【０００７】
【図１】本考案の実施形態である。
【図２】本考案の組立完成図である。
【図３】本考案の断面図である。
【考案を実施するための形態】
【０００８】  この考案の実施形態を、図１に示す。
【実施例】
【０００９】  以下、添付図面に従って一実施例を説明する。本体１は透明押出し抽出品であり、本体１の上部には熱放出用の溝５ｃがある。又、本体１の内面にはＬＥＤ基盤帯２を差し込めるよう突起５ａと５ｂがあり、５ｂの下面には、色フィルム３の受け用として突起５ｅがある。ＬＥＤ基盤帯２を差し込んだ状態における照射面には光拡散用の複数の隆起５ｄがある。
【符号の説明】
【００１０】１    透明筒状一体型押出し抽出品本体
２    ＬＥＤ基盤帯
３    色フィルム
４    キャップ
５ａ  ＬＥＤ基盤帯受け上部
５ｂ  ＬＥＤ基盤帯受け下部
５ｃ  熱放出用切り込み
５ｄ  光拡散用複数隆起
５ｅ  色フィルム受け
【図１】
0003193630.tif 000003
【図２】
0003193630.tif 000004
【図３】
0003193630.tif 000005
【手続補正書】
【提出日】平成26年7月23日(2014.7.23)
【手続補正１】
【補正対象書類名】実用新案登録請求の範囲
【補正対象項目名】全文
【補正方法】変更
【補正の内容】
【実用新案登録請求の範囲】
【請求項１】
透明筒状一体型の内面に、筒状に沿って相対する２対の突起辺を有する事を特徴とするＬＥＤ基盤帯カバー
【請求項２】
上記請求項１の２対の突起辺のうち、相対する１対がＬ字状になっている事を特徴とするＬＥＤ基盤帯カバー
(57)【要約】      （修正有）【課題】従来は生ゴミの水気を手を汚さず取り除く事ができる物はなかった。そこで水気が容易に取り除く事のできる、押し蓋を付けた水切り容器を提供する。【解決手段】容器本体の中に入る縦長の押し蓋を用い、手で押して水気だけを押し出す事を特徴とする。【選択図】図２
0003193627.tif 000002
【実用新案登録請求の範囲】
【請求項１】
（イ）容器本体に取っ手を付ける。
（ロ）押し潰す為の手押蓋を付けた水切り容器。
【考案の詳細な説明】
【技術分野】
【００１】  この考案は，家庭から出る生ゴミの水気を減らす為の容器である。
【背景技術】
【００２】  従来，家庭から出る生ゴミの水気は，水切りネット毎手で絞っていた。
【考案の開示】
【考案が解決しようとする課題】  問題点【００３】  生ゴミは其のままだと水分が含まれていて直接，手で絞るのも気色悪く，また絞らずに出すとその分の重量があり，ゴミ収集車の運搬の負担に成っている。
【課題を解決するための手段】
【００４】  そこでこの容器は家庭から出る生ゴミの水気を減らす為，直接または水濾しネットごと押し蓋で押し潰す事で水気を減少できる。
【考案の効果】
【００５】  生ゴミを押し潰し，水気が大方取り除かれる為，ゴミの重量が減少し，また水切りネットごと絞っただけで捨てることができる為，手を汚さずにゴミ処理ができる。
【考案を実施するための最良の形態】
【００６】  本体水切り容器の形状に於いては，水抜き穴が底部にも開いている円筒形，立方体およびコーナー用三角形で，其々の形状容器の中に入る形の手押し蓋付で，押し潰すように生ゴミの水気を押し出す，また持ち手を付ける事によって押し潰す時に押え易く取ってを持って中の生ゴミに触らずに捨てることができる。
【図面の簡単な説明】
【００７】
【図１】  容器本体の斜視図である。
【図２】  手押し蓋の斜視図である。
【符号の説明】
【００８】  １  排水穴
【図１】
0003193627.tif 000003
【図２】
0003193627.tif 000004
【手続補正書】
【提出日】平成26年7月18日(2014.7.18)
【手続補正１】
【補正対象書類名】実用新案登録請求の範囲
【補正対象項目名】全文
【補正方法】変更
【補正の内容】
【実用新案登録請求の範囲】
【請求項１】
容器の側面に取っ手を備えた容器本体と，前記容器本体の中に入る形を有する手押し蓋からなる，生ゴミ水きり容器。
(57)【要約】      （修正有）【課題】ペイント缶の縁の内側に取付け、刷毛に付き過ぎたペンキの切り落としが容易でペンキが飛散せず無駄にならない、しかも刷毛を一時的に置くことができるエコ・ペイント刷毛置き具を提供する。【解決手段】溝の巾が缶の厚さより少し広く、溝の長さがペイント刷毛の巾以上で、深さが刷毛の毛の長さ程度で、溝が引掛ける缶の上部縁に嵌合できるように湾曲した上部下向き引掛溝１と、溝巾がペイント刷毛の厚さより少し広く、長さは引掛溝と同じである下部ペイント刷毛置き溝２と、鉄板又は銅板、ステンレス板、プラスチック材を加工成形して成るペイント切り落し辺３と、から構成される。【選択図】図１
0003193626.tif 000002
【実用新案登録請求の範囲】
【請求項１】
引掛溝の巾が缶の厚さより少し広く、溝の長さがペイント刷毛の巾以上で、深さが刷毛の毛の長さ程度で、溝が引掛ける缶の上部縁に嵌合できる湾曲した、上部下向き引掛溝（１）、刷毛置き溝の溝巾がペイント刷毛の厚さより少し広く、長さは引掛溝と同じ、下部ペイント刷毛置き溝（２）、ペイント切り落し辺（３）を鉄板等を加工成形して成る、エコ・ペイント刷毛置き具。
【考案の詳細な説明】
【技術分野】
【０００１】本考案はペイント缶の内側上部縁に簡単に取り付けペンキ刷毛に付いた余分なペンキを切り落としたり、刷毛を一時置きできる、
エコ・ペイント刷毛置き具に関するものである。
【背景技術】
【０００２】従来、持ち運びできるペイント缶には缶の蓋溝の縁にペンキ切りができる部位が有ったが、使用していると直ぐにペンキが乾き固まって十分なペンキ切りができなくなっていた。又、塗装途中で一時刷毛を置く場合、置く場所がなく刷毛をペイント缶内に毛の部位がペンキに浸る様に置いたり、缶の上部に横にして置いたりしていた。
【先行技術文献】
【考案の概要】
本考案はペイント缶の内側上部縁に取り付け刷毛に付いたペンキを切り落としたり、刷毛を乗せ置きできるエコ・ペイント刷毛置き具である。
【考案が解決しようとする課題】
【０００３】塗装時にペイントに刷毛を浸し取り上げた場合、ペンキの付き過ぎが多くペイント缶の縁に刷毛を押し当ててペンキを適量に切り落としていた。この方法ではペンキを切り落とす時、慎重に作業しても缶の外に飛散したり、缶の中に落ちるペンキは缶の縁に付着し乾燥して固まったりペンキの無駄となっていた。
又、一時的に刷毛を手離す場合刷毛の置き場所がなく缶の上や缶内に置いたりしていた。缶の上に置いた刷毛は落下したり、缶内に置いた場合刷毛の柄までペンキが付着してペンキの無駄となっていた。
従来の方法では作業性が悪く、缶も刷毛もペンキで汚れがひどくペンキの飛散無駄が多かった。本考案は、その要望を一気に解決したものである。
【課題を解決するための手段】
【０００４】ペイント缶の縁に嵌合する、上部下向き引掛溝（１）、下部ペイント刷毛置き溝（２）、ペイント切り落し辺（３）、上部引掛溝を缶の縁にフイットする様に湾曲させるが、曲げ易いように、引掛溝カット部（５）、を設けてなる。
本考案は以上の構成よりなる、エコ・ペイント刷毛置き具である。
本考案を実施する時は、持ち運び用ペンキ缶の上縁に上部下向き引掛溝（１）を嵌合し、刷毛に過多に付着したペンキをペイント切り落し辺（３）にて効率よく切り落とすことができる。ペンキは缶内に落ちるため汚れないし飛散もしない又、一時的に刷毛を手離す場合、下部ペイント刷毛置き溝（２）に置くことができる。ペイント刷毛置き溝（２）は缶内であり刷毛を置いた状態時に垂れ落ちる。ペンキは外に飛散することはない。
【考案の効果】
【０００５】  本考案を使用することによって
１．刷毛に着きすぎたペンキを効率良く切り落とす事ができる。
２．刷毛を置く場所が有り作業がし易い。
３．ペンキの飛散が少なくなりペンキの節約ができる。
４．汚れが少なくなり環境に優しい。
【図面の簡単な説明】
【０００６】
【図１】  本考案をペイント缶に取り付けた状態及び考案の拡大斜視図
【図２】  刷毛のペイントを切り落としている斜視図
【図３】  刷毛を本考案に置いた状態の斜視図
【図４】  本考案を鉄板で製作する場合の手順図（例）及び完成図
【考案を実施するための形態】
【０００７】本考案を実施する時は
持ち運び出来るペイント缶の縁上部の内側に考案したエコ・ペイント刷毛置き具の、上部下向き引掛溝（１）を嵌め込み取り付ける。ペンキ塗り作業でペンキ刷毛に付き過ぎたペンキはペイント切り落し辺（３）にて切り落とす。
又、一時刷毛を手離す時は下部ペイント刷毛置き溝（２）に乗せて置く。
【実施例】
【０００８】以下、本考案の実施例をのべる。
塗装時に使用する、持ち運び出来るペンキ缶の縁上部の内側に考案したエコ・ペイント刷毛置き具の、上部下向き引掛溝（１）を嵌め込み取り付ける。刷毛にペンキを浸し、付き過ぎたペンキはペイント切り落し辺（３）に毛先を押し当てて切り落とす［図２］切り落としが容易で効率よく、ペンキは缶内に落下し無駄がなく汚れない。又、一時刷毛を手離す時は下部ペイント刷毛置き溝（２）に毛の部分を下向きに乗せて置く［図３］安定して置くことができ毛についたペンキは垂れても缶内におち無駄がなく汚れない。エコ・ペイント刷毛置き具自体がペンキが付き固く汚れた場合は使い捨てにしても良い。
尚、材質は金属やプラスティックでも良い。
［図４］に本考案の鉄板で製作する場合の手順（例）を記載。
【産業上の利用可能性】
【０００９】ペンキ塗装作業におけるペンキの飛散による無駄やペンキの固まりによる汚れを無くしたいと思う人は多勢いる。
この問題を一気に解決したものである。
【符号の説明】
【００１０】１．上部下向き引掛溝
２．下部ペイント刷毛置き溝
３．ペイント切り落し辺
４．引掛溝湾曲部
５．引掛溝カット部
【図１】
0003193626.tif 000003
【図２】
0003193626.tif 000004
【図３】
0003193626.tif 000005
【図４】
0003193626.tif 000006
【手続補正書】
【提出日】平成26年7月14日(2014.7.14)
【手続補正１】
【補正対象書類名】実用新案登録請求の範囲
【補正対象項目名】全文
【補正方法】変更
【補正の内容】
【実用新案登録請求の範囲】
【請求項１】
引掛溝の巾が缶の厚さより少し広く、溝の長さがペイント刷毛の巾以上で、深さが刷毛の毛の長さ程度で、溝が引掛ける缶の上部縁に嵌合できる湾曲した、上部下向き引掛溝（１）、刷毛置き溝の溝巾がペイント刷毛の厚さより少し広く、長さは引掛溝と同じ、下部ペイント刷毛置き溝（２）、ペイント切り落し辺（３）を鉄板又は銅板、ステンレス板、プラスチック材を加工成形して成るエコ・ペイント刷毛置き具。
(57)【要約】      （修正有）【課題】便座が絶えず殺菌できるようにした装置を提供する。【解決手段】便座蓋１に殺菌紫外線を発光するＬＥＤダイオード３を便座２に光線が満遍なく当たるように（１０〜２０個）取り付け、便座２が閉じた時のみ発光するようにすれば閉じている間、便座２を殺菌し続けており、使用時に便座蓋１を少しでも開けた時は発光をしないように工夫して、人体に影響のないように配慮する。【選択図】図３
0003193623.tif 000002
【実用新案登録請求の範囲】
【請求項１】
洋式便器の便座を殺菌紫外線ＬＥＤを用いて殺菌、滅菌する全て。
【考案の詳細な説明】
【技術分野】
【０００１】従来、便座は人が座るところであるが、殺菌されずにむき出しのままでしたが、絶えず殺菌出来るようにしたもの。
【背景技術】
【０００２】技術分野と同じく従来、便座は殺菌されることが無かったが便座に殺菌するよう工夫したものである。
【考案の開示】
【考案が解決しようとする課題】便座は一般的に複数以上の人々が座るものであるから（特に公衆便所やホテルの便所等）しかもむき出しのお尻が直接便器に触れるために不衛生感が漂っていました。そこで、便座を絶えず殺菌しておけば、安心して用たしが出来るように考案したものである。
【課題を解決するための手段】便座には殆ど便座蓋が付いていますので、その便座蓋の便座に殺菌紫外線を放射出来るＬＥＤ（発光ダイオード）を取り付け蓋が開いている時にはＬＥＤは発光しないが、閉まっている時に絶えず発光することにより便座の表面は絶えず殺菌されています。
【考案の効果】便座が絶えず殺菌されており、衛生であるための安心感があり、皮膚感染も皆無になり、紫外線効果による防臭作用も期待出来ます。ＬＥＤを使用しているため毎月の電気代もほんの少しです。
【図面の簡単な説明】
【０００３】
【図１】１  便座蓋  ２  便座
【図２】便座蓋を開きかけたところです。
【図３】便座蓋を全開したところです。３  紫外線殺菌発光ダイオード
【図４】便座蓋の便座に近い裏側を示します。紫外線殺菌ダイオード１６個を示します。電源ＯＦＦの時
【図５】電源ＯＮ時  便座蓋が完全に閉まった時のみ点灯して便座を殺菌します。
【図１】
0003193623.tif 000003
【図２】
0003193623.tif 000004
【図３】
0003193623.tif 000005
【図４】
0003193623.tif 000006
【図５】
0003193623.tif 000007
【手続補正書】
【提出日】平成26年5月14日(2014.5.14)
【手続補正１】
【補正対象書類名】実用新案登録請求の範囲
【補正対象項目名】全文
【補正方法】変更
【補正の内容】
【実用新案登録請求の範囲】
【請求項１】
洋式便器の便座を殺菌紫外線ＬＥＤを用いて殺菌及び滅菌する装置。
【手続補正書】
【提出日】平成26年7月24日(2014.7.24)
【手続補正１】
【補正対象書類名】実用新案登録請求の範囲
【補正対象項目名】全文
【補正方法】変更
【補正の内容】
【実用新案登録請求の範囲】
【請求項１】
洋式便器の便座を殺菌するため便座蓋の便座に当たる側に殺菌紫外線を発光するＬＥＤを便座に沿って等間隔に１６個位を取り付け便座蓋が閉じた時は常時点灯させ１０秒も掛からず便座を殺菌させる装置。
(57)【要約】      （修正有）【課題】軽量で、かつ、保管場所を取らず、保温効果にも優れた防災用毛布を提供する。【解決手段】防災用毛布１０は、表面から、少なくとも１枚の不織布２、ポリエチレンフィルム３、少なくとも１枚の不織布４、の少なくとも３層で構成されていることにより、軽量で取り扱いが容易である上に、コンパクトに収納できるため保管場所を取らず、かつ、高い保温性を保つことができる。また、コストも大幅に削減することが可能となる。【選択図】図４
0003195105.tif 000002
【実用新案登録請求の範囲】
【請求項１】
表面から、少なくとも１枚の不織布、ポリエチレンフィルム、少なくとも１枚の不織布、の少なくとも３層で構成されていることを特徴とする防災用毛布。
【考案の詳細な説明】
【技術分野】
【０００１】
この考案は、保温効果に優れ、保管場所をとらない防災用毛布に関するものである。
【背景技術】
【０００２】
従来より、災害等の緊急時に備えて、自治体、学校、病院、職場などにおいて、防災用品が備蓄されている。この中でも、必須のアイテムである防災用毛布は、季節に関係なく避難者等の体温を保持するとともに、例えば体育館等の床に直接寝ることを想定して、分厚くて保温効果に優れたものが必要とされている。
【０００３】
しかし、分厚くて保温効果に優れた毛布は、重さも大きさもあるため、広い保管場所を必要とする、という問題があった。そこで、例えば特許文献１に開示されているように、防災用毛布をラミネート袋に入れて保管する真空パックが考案されている。
【先行技術文献】
【特許文献】
【０００４】
【特許文献１】特開２００６−３３５４７１号公報
【考案の概要】
【考案が解決しようとする課題】
【０００５】
しかしながら、従来の、真空パックから出した後の防災用毛布は、重さも大きさもあるため、持ち運んだり、避難者等に配布したりする際にも大変な作業が必要である、という課題があった。
【０００６】
この考案は、上記のような課題を解決するためになされたものであり、軽量で、かつ、保管場所を取らず、保温効果にも優れた防災用毛布を提供することを目的とする。
【課題を解決するための手段】
【０００７】
上記目的を達成するため、この考案の防災用毛布は、表面から、少なくとも１枚の不織布、ポリエチレンフィルム、少なくとも１枚の不織布、の少なくとも３層で構成されていることを特徴とする。
【考案の効果】
【０００８】
この考案の防災用毛布によれば、軽量で、コンパクトに収納できるため保管場所を取らず、かつ、高い保温性を保つことができる。
【図面の簡単な説明】
【０００９】
【図１】この考案の実施の形態における防災用毛布１０を折りたたんだ状態を示す斜視図である。
【図２】この考案の実施の形態における防災用毛布１０の構造の一例を示す概略断面図である。
【図３】防災用毛布１０の内部にポリエチレンフィルム３を挟み込んでいることを示す５層構造の防災用毛布の説明図である。
【図４】防災用毛布１０の内部にポリエチレンフィルム３を挟み込んでいることを示す３層構造の防災用毛布の説明図である。
【図５】従来の防災用毛布を折りたたんだ状態を示す斜視図である。
【考案を実施するための形態】
【００１０】
以下、この考案の実施の形態について、図面を参照しながら詳細に説明する。
図１は、この考案における防災用毛布１０を折りたたんだ状態を示す斜視図である。また、図２は、この防災用毛布１０の構造の一例を示す概略断面図である。また、図３は、ポリエチレンフィルム３を内部に縫い込んでいることを示す５層構造の説明図であり、図４は、ポリエチレンフィルム３を内部に縫い込んでいることを示す３層構造の説明図である。
【００１１】
この防災用毛布１０は、基本的には、災害等の緊急時のために備蓄しておく毛布であり、図２および図３に示すように、表面から、不織布１、不織布２、ポリエチレンフィルム３、不織布４、不織布５の５層、または、図４に示すように、不織布２、ポリエチレンフィルム３、不織布４の３層で構成されている。すなわち、この防災用毛布１０は、表面から、少なくとも１枚の不織布２、ポリエチレンフィルム３、少なくとも１枚の不織布４、の少なくとも３層で構成されている。
【００１２】
また、図５は、従来の防災用毛布２０を折りたたんだ状態を示す斜視図である。従来では、季節に関係なく避難者等の体温を保持するとともに、例えば体育館等の避難所で寝ることを想定して、分厚くて保温効果に優れた毛布が使用されていた。従来の防災用毛布としては、一般的に、ポリエステル製の難燃毛布が使用されている。
【００１３】
しかしながら、従来の防災用毛布２０を折りたたんだ状態では、例えば図５に示すように、かなりの場所をとる結果となり、備蓄するために広い保管場所が必要であった。また、持ち運ぶ際の重さもあり、避難者等に配布するためにも大変な作業が必要であった。一般的に、従来の防災用毛布の重量は、１．３ｋｇ程度である。
【００１４】
これに対し、この考案の防災用毛布１０は、少なくとも不織布２および４を用い、それら不織布と不織布との間にポリエチレンフィルム３を縫い込んでいるため、保温効果に優れ、かつ、厚みも薄くて軽量である。
【００１５】
また、この考案の防災用毛布１０は、折りたたんだ状態でも、図１に示すようにコンパクトな状態となるため、必要な備蓄スペースも従来の半分以下でよく、保管場所も取らないので、大量に備蓄するのにも最適なものである。また、この防災用毛布１０の重量は従来の防災用毛布２０の重量の半分以下であるため、軽量で持ち運ぶのも楽であり、避難者等に配布するための作業も容易となる。
【００１６】
さらに、不織布１，２，４，５およびポリエチレンフィルム３のみで構成できるため、コストも大幅に削減することができる。
【００１７】
以上のように、この実施の形態の防災用毛布によれば、軽量で取り扱いが容易である上に、コンパクトに収納できるため保管場所を取らず、かつ、高い保温性を保つことができる。また、コストも大幅に削減することが可能となる。
【００１８】
なお、本願考案はその考案の範囲内において、実施の形態の任意の構成要素の変形、もしくは実施の形態の任意の構成要素の省略が可能である。
【符号の説明】
【００１９】
１，２，４，５  不織布
３  ポリエチレンフィルム
１０  この考案の防災用毛布
２０  従来の防災用毛布
【図１】
0003195105.tif 000003
【図２】
0003195105.tif 000004
【図５】
0003195105.tif 000005
【図３】
0003195105.tif 000006
【図４】
0003195105.tif 000007